(57)【特許請求の範囲】
【請求項１】
対向する２つの主表面を有し、前記２つの主表面の一方が電気機器の筐体の一面の内部に位置するように、前記筐体に取り付けられる絶縁体の基部と、
前記基部に、前記２つの主表面を貫通して概略矩形に形成され、板状の端子が挿通される端子孔とを、
有し、前記端子孔の一つの辺が、その辺の外方に向かって段状とされることによって、前記端子孔が、その主要部と拡張部とを有するものとされ、前記端子は、少なくとも幅が異なる複数のものが準備され、そのうちの１つの幅の前記端子が前記端子孔の主要部に挿通可能な幅に設定され、他の幅の前記端子が前記拡張部に挿通可能な幅に設定された端子台。
【請求項２】
請求項１記載の端子台において、前記基部の２つの主表面のうち前記筐体内に位置する一方の面には、前記端子孔の少なくとも拡張部の縁に、前記端子をその厚さ方向に貫通するネジが挿通される固定部が形成されている端子台。
【請求項３】
請求項２記載の端子台において、前記端子の中途にナットが一体的に設けられ、前記固定部に、前記ナットが挿入される凹所が形成されている端子台。
【発明の詳細な説明】
【技術分野】
【０００１】
本発明は、出力端子のような端子が取り付けられる端子台に関し、特に、異なる複数の端子のうち選択されたものが取り付け可能なものに関する。
【背景技術】
【０００２】
従来、例えば特許文献１には、回路遮断器に電源を供給するために、端子ユニットを使用することが開示されている。この端子ユニットは、ケース内に回路遮断器に接続する接続端子を有し、この接続端子が電源側の電線に接続されている。
【先行技術文献】
【特許文献】
【０００３】
【特許文献１】特開２０１１−１２５１４９号公報
【発明の概要】
【発明が解決しようとする課題】
【０００４】
このような端子ユニットは、使用する電源の容量に応じて接続端子の厚さや幅を変更する必要がある。特許文献１に開示されているような端子ユニットでは、その電源容量に応じた接続端子を備えたものを個別製造することが一般的であり、コストの増加を招いていた。このような問題は、電気機器の筐体に取り付ける電源出力端子や入力端子においても同様に生じていた。
【０００５】
本発明は、多様な種類の端子のうち選択されたものを取り付けることが可能な端子台を提供することを目的とする。
【課題を解決するための手段】
【０００６】
本発明の一態様の端子台は、絶縁体製の基部を有している。この基部は、対向する２つの主表面を有し、前記２つの主表面の一方が電気機器の筐体の一面の内部に位置するように、前記筐体に取り付けられる。電気機器としては、例えば電源供給装置を使用することができる。基部は、対向する２つの主表面を有するものであれば、種々のものを使用することができ、例えば矩形状や円板状等の種々の形状とすることができる。前記基部には、前記２つの主表面を貫通した端子孔が矩形に形成されている。この端子孔に、板状の端子が、挿通される。前記端子孔の一方の辺が、その辺の外方に向かって段状とされることによって、前記端子孔が、その主要部と拡張部とからなっている。段は、１段とすることもできるし、複数段とすることもできる。また、段は、その辺の一方に偏って形成することもできるし、辺の中央に形成することもできる。前記端子は、電源の出力用端子とすることもできるし、電源の入力用端子とすることもできる。前記端子は、少なくとも幅が異なる複数のものが準備される。前記端子孔の一つの辺が、その辺の外方に向かって段状とされることによって、前記端子孔が、その主要部と拡張部とを有するものとされ、前記端子は、少なくとも幅が異なる複数のものが準備され、そのうちの１つの幅の前記端子が前記端子孔の主要部に挿通可能な幅に設定され、他の幅の前記端子が前記拡張部に挿通可能な幅に設定されている。なお、幅のみでなく、厚さも異なったものとすることもできる。
【０００７】
このように構成された端子台では、少なくとも幅が異なる複数種類の端子のどれでも、端子孔に挿通することができるので、複数種類のいずれの端子を使用する場合でも、共通に端子台を使用することができる。なお、端子孔には、端子を挿通後に、端子の周囲を包囲するようにカバーを取り付けることができる。
【０００８】
前記基部の２つの主表面のうち前記筐体内に位置する一方の面には、前記端子孔の少なくとも拡張部の縁に、前記端子をその厚さ方向に貫通するネジが挿通される固定部を形成することもできる。
【０００９】
このように構成すると、少なくとも幅が異なる複数種類の端子のいずれであっても、ネジによって固定部に固定される。
【００１０】
前記端子の中途にナットを一体的に設け、前記固定部に、前記ナットが挿入される凹所を形成することもできる。
【００１１】
このように構成すると、固定部にネジによって端子板を固定するときに、端子と一体的にされたナットをネジで螺合できるので、一方向からドライバー等の工具を差し込んで組み立てることができ、製造を容易にすることができる。
【発明の効果】
【００１２】
以上のように、本発明によれば、複数種類の端子を共通の端子台に取り付けることができ、コストの低減、在庫管理が容易になる。
【図面の簡単な説明】
【００１３】
【図１】本発明の１実施形態の端子台の正面図、左側面図、平面図及び部分省略背面図である。
【図２】図１の端子台を使用しためっき用電源装置の部分省略背面図及び部分省略横断平面図である。
【図３】図１の端子台で使用する種類の異なる端子板の正面図及び左側面図である。
【図４】図１の端子台に異なる種類の端子板を取り付けた状態を示す部分省略拡大正面図である。
【図５】図１の端子台の変形零を示す部分省略拡大正面図である。
【発明を実施するための形態】
【００１４】
本発明の１実施形態の端子台２は、電気機器、例えばめっき用電源装置の出力端子用のもので、図２（ａ）に示すように、めっき用電源装置の筐体４の背面６に取り付けられている。端子台２は、図１に示すように、基部８を有している。基部８は、概略矩形、例えば長方形の平板体に絶縁体によって構成され、対向する主表面、例えば表面１０と裏面１２とを有している。この基部８の４隅には、表面１０と裏面１２とを貫通するように、ネジ挿通孔１４が形成され、これを利用して筐体４の背面６に基部が取り付けられている。図１（ｂ）に示すように基部８の裏面１２側に突出させた台部１６が、図２（ｂ）に示すように筐体４の背面６に形成した孔に合致し、台部１６が筐体４の内部に突出し、基部８の表面１０側が筐体４の背面６から外部に突出するように取り付けられている。
【００１５】
基部８の表面１０と裏面１２とを貫通するように、２つの端子孔１８、１８が形成されている。これら端子孔１８、１８は、図１（ａ）に示すように、間隔をあけて基部８の１つの対角線上にほぼ位置するように形成されている。これら端子孔１８、１８は、概略矩形状、例えば長方形状に形成され、その長辺が、基部８の長辺と平行になるように配置されている。
【００１６】
これら端子孔１８、１８には、上述した出力端子となる正の出力端子用及び負の出力端子用の金属製の端子板２０が挿通される。これら正負いずれの出力端子用でも同じ形状の端子板が使用される。
【００１７】
但し、端子板２０は、その電流容量によって、例えば、この実施形態では、図３（ａ）乃至（ｄ）に示すように、厚さ寸法と幅寸法とが異なる４種類のもののうち、めっき用電源装置の出力電源容量に応じたものが使用される。例えば厚さ寸法がｔ１で、幅寸法がＷ１の端子板２０ａ、厚さ寸法がｔ２（ｔ２＞ｔ１）で幅寸法がＷ１の端子板２０ｂと、厚さ寸法がｔ３（ｔ３＞ｔ２）で、幅寸法がＷ２（Ｗ２＞Ｗ１）の端子板２０ｃ、厚さ寸法がｔ４（ｔ４＞ｔ３）で、幅寸法がＷ２の端子板２０ｄが、準備されている。各端子板２０ａ乃至２０ｄの中途には、ナット２１が片側に突出するように嵌入されて一体化されている。
【００１８】
これらのうち選択されたものが、端子孔１８、１８に挿通される。この挿通は、図２（ｂ）に示すように端子板２０の長さ方向が表面１０と裏面１２とを繋ぐ方向になるように、即ち、端子板２０の先端が筐体４の内部に外部から侵入するように行われている。端子孔１８、１８は、厚さや幅が異なる端子板２０ａ乃至２０ｄのいずれもが取り付け可能なものである必要がある。
【００１９】
そこで、端子孔１８は、図１（ａ）に示すように、長辺間の間隔がｔ２で、短辺間の間隔がＷ２である長方形状の主要部２２を有している。この主要部２２の一方の長辺の中央から、その外側に、その長辺から長辺までの距離がｔ１で、短辺間の距離がＷ１である長方形状の拡張部２４が形成されている。即ち、一方の長辺が外方に段状に拡張されている。なお、拡張部２４は、２つの端子孔１８において、互いに反対方向に突出している。
【００２０】
従って、端子板２０ａを端子孔１８に挿通する場合、図４（ａ）に示すように、端子板２０ａは、拡張部２４の両短辺に、端子板２０ａの幅Ｗ１方向の両縁が接触し、拡張部２４の長辺に、端子板２０ａの厚さｔ１方向の一方の縁が接触するように配置される。この場合、端子板２０ａの他方の縁は、拡張部２４と主要部２２との境界に位置する。
【００２１】
端子板２０ｂを端子孔１８に挿入する場合、図４（ｂ）に示すように端子板２０ｂは、拡張部２４の両短辺に、端子板２０ｂの幅Ｗ１方向の両縁が接触し、拡張部２４の長辺に、端子板２０ｂの厚さｔ２方向の一方の縁が接触するように配置される。この場合、端子板２０ｂの他方の縁は、拡張部２４と主要部２２との境界よりも主要部２２側に突出して位置する。
【００２２】
端子板２０ｃを端子孔１８に挿入する場合、図４（ｃ）に示すように端子板２０ｃは、主要部２２の両短辺に、端子板２０ｃの幅Ｗ２方向の両縁が接触し、拡張部２４と主要部２２との境界部分に、端子板２０ｃの厚さｔ１方向の一方の縁が接触するように配置される。なお、拡張部２４と主要部２２との境界と反対側の主要部２２の長辺に、端子板２０ｃの厚さｔ１方向の他方の縁が接触するように配置することも可能である。
【００２３】
端子板２０ｄを端子孔１８に挿入する場合、図４（ｄ）に示すように、端子板２０ｄは、主要部２２の両短辺に、端子板２０ｄの幅Ｗ２方向の両縁が接触し、拡張部２４と主要部２２との境界部分に、端子板２０ｄの厚さｔ２方向の一方の縁が接触するように配置される。
【００２４】
このようにして、異なる種類の端子板２０ａ乃至２０ｄのうち選択されたものが、端子孔１８、１８に挿通可能である。
【００２５】
表面１０側において、端子孔１８、１８の周囲には、これらを余裕を持ってそれぞれ包囲するように、外観が概略直方体状の保護筒２６が、表面１０側から図２（ｂ）に示すように端子台２の基部８の表面１０から筐体４の外側に突出している。
【００２６】
端子孔１８、１８に挿通された端子板２０を固定するために、図１（ｂ）乃至（ｄ）に示すように、裏面１２側において、端子孔１８、１８の周囲には、端子孔１８、１８を包囲するように外観が概略直方体状の固定部２８が裏面１２から筐体４の内部に侵入するように突出している。図１（ｄ）は端子台２を、筐体４の内部から背面方向にみた状態を示している。この固定部２８の拡張部２４の長辺に対応する側壁２８ａは、拡張部２４に対応して図１（ｄ）に示すように拡張部２４の外側に一部が突出し、そこに図１（ｂ）に示すようにネジ挿通孔３０が形成され、これと対向する側壁２８ｂには、ナット２１挿入用の凹所３４が形成されている。端子台２の裏面１２の固定部２８から端子板２０を挿入し、凹所３４にナット２１を挿入すると、端子板２０の一部は筐体４の外部に引き出され、一部は筐体４内に配置された状態となる。そして、このネジ挿通孔３０に挿通されたネジ（図示せず）が端子板２０の中途に嵌入されたナット２１に螺合して、端子板２０は固定部２８に固定される。ナット２１にネジを螺合する際に、ナット２１（端子板２０）を回転させる力が作用するが、端子板２０ａ乃至２０ｄのいずれが使用されていても、端子板２０ａ乃至２０ｄの幅方向の両側にある縁は、端子孔１８の主要部２２または拡張部２４上下の短辺に当接して回り止めされているので、ネジ止めする際に端子板２０ａ乃至２０ｄが回転することが防止されている。したがって、ナット２１を工具を用いて押えなくてもナット２１は回転しないので、一方向からドライバーを挿入してネジを回してネジ止めすることができ、ネジの挿入方向と逆側でナット２１を押えるためのスペースを不要にでき、組立も容易にできる。
【００２７】
また、保護筒２６内の端子孔１８に近い位置には、端子孔１８の隙間から筐体４内に、塵埃等が侵入することを防止するため、図１（ａ）に示すカバー３６が嵌め込まれている。このカバー３６は、保護筒２６の内周面の端子孔１８に近い位置に対応する形状を有している。また、カバー３６には、端子板の挿通孔３８が形成され、この挿通孔３８に端子板を挿通した状態で、保護等２６内に嵌め込まれる。挿通孔３８の位置は、端子板２０ａ乃至２０ｄに応じて異ならせることが望ましい。但し、端子板２０ａ乃至２０ｄの厚さの相違が余り大きく無い場合には、端子板２０ａ乃至２０ｄは金属製であり、弾性があるので、厚さの違いを吸収可能であり、カバー３６は、挿通孔３８の位置を固定した１種類のみ準備することも可能である。
【００２８】
各端子板２０ａ乃至２０ｄの先端は、筐体４の内部に挿通された後、図２（ｂ）に示すように筐体４内の所定の基板４０、４２に接続される端子板２０ａ乃至２０ｄは、固定部２８に取り付けた基板４４を貫通して、基板４０、４２に接続されている。拡張部２４を、主要部２２の一方の長辺の中央に形成しているので、幅寸法が異なる端子板２０ａ乃至２０ｄのいずれを使用しても、基板４０、４２への端子板２０ａ乃至２０ｄの接続位置が変化することはない。基板４４上には、端子板２０ａ乃至２０ｄが接続されるフィルタ回路が構成されている。
【００２９】
上記の実施形態では、正負の出力端子に本発明を実施したので、基部８に形成した挿通孔１８は２つであるが、例えば三相交流を出力するような電気機器の出力端子に本発明を実施する場合、端子孔１８は３つ形成される。また、上記の実施形態では、端子孔１８の拡張部２４は１つだけ設けたが、図５（ａ）に示すように、拡張部２４ａ、２４ｂのように複数の拡張部を形成することもでき、これによって４種類よりも多い端子板の中から選択した端子板を使用することができる。また、拡張部２４は、主要部２２の一方の長辺の中央に形成したが、図５（ｂ）に示すように、一方の短辺側に偏った位置に拡張部２４を形成することもできる。また、上記の実施形態では、４種類の端子板２０ａ乃至２０ｄを使用したが、厚さ寸法が同じで幅寸法が異なる２種類の端子板２０ｂと２０ｄとの２種類のみを使用することもできる。また、上記の実施形態では、端子孔１８、１８は、基部８の１つの対角線上にほぼ位置するように配置したが、長辺または短辺に平行に並べて配置することもできる。上記の実施形態では、端子板２０にナット２１を嵌入させたが、端子板２０にナット２１を一体的に設ければ良く、例えば端子板２０にナット２１を溶接等によって取り付けることもできる。
【００３０】
上記の実施形態では、本発明による端子台をめっき用電源装置の電源出力端子用に使用したが、これに限ったものではなく、他の電気機器、例えば溶接機用の電源に使用することもできるし、また電源出力端子以外にも、例えば電源入力端子等に使用することもできる。
【符号の説明】
【００３１】
２  端子台
４  筐体
６  背面
８  基部
１０  表面（主表面）
１２  裏面（主表面）
１８  端子孔
２０  端子板
２２  主要部
２４  拡張部
【図１】
0006377505.tif 000002
【図２】
0006377505.tif 000003
【図３】
0006377505.tif 000004
【図４】
0006377505.tif 000005
【図５】
0006377505.tif 000006